(57)【特許請求の範囲】
【請求項１】
釣竿本体（１）に２つのリール１（２）、リール２（３）を装着し、事前に投入した遊動的に接続されたおもり（１４）を支点にして釣りの仕掛け本体（１３）をおもり（１４）の方向へ送り出す仕組みを実現する事を特徴とする釣竿及び釣具。
【発明の詳細な説明】
【技術分野】
【０００１】この発明は、釣竿に２つのリール機能を装着し、先に仕掛けを装着しない状態の遊動式のおもりだけを投入後、あとから装着した釣りの仕掛けを、おもりの方向へ送り出す、又は引き戻す仕組みを実現する釣具に関するものである。
【背景技術】
【０００２】従来、リール装着型の釣竿は、リールを１つのみ装着可能であり、仕掛けの投入時はおもりやウキ等の仕掛けの重さを利用して投入を行うものであった。
【発明の概要】
【発明が解決しようとする課題】
【０００３】これは、つぎのような欠点があった。
▲１▼取れやすい餌又は、衝撃に弱い餌をつけた仕掛けを遠くへ投入できない。
▲２▼軽い仕掛けや、空気抵抗が大きい仕掛を遠くへ投入できず、そのような仕掛けを投入する場合は、風の影響を受けやすく、風が強い状況下では目的地点へ仕掛けを正確に投入するのが難しい。
▲３▼長い延縄状の仕掛けを投入できない。
▲４▼重いおもりを付けた仕掛けでは、仕掛けの微妙な移動や誘いを実現するのが難しかった。
本発明は、以上のような欠点をなくすためになされたものである。
【課題を解決するための手段】
【０００４】釣竿本体（１）にリール１（２）、リール２（３）を２つ装着できるようにし、それぞれのリールから出る釣り糸（４）は各々の糸通しガイド（７）、竿先（８）を経由し、おもりの付いたリング（滑車）（１２）を経由して、誘導式のおもりストッパー（１１）を通して、連結金具（スナップ）（９）で結合する。
仕掛け本体（１３）は、おもりを投入後、連結金具（スナップ）（９）の部分に、挿入した形で装着可能である。
以上の構成よりなる釣具である。
【発明の効果】
【０００５】仕掛けを装着しない状態で空気抵抗の少ないおもりのみを投入できる為、おもりを遠くへ投入でき、おもり投入後、リング（滑車）を支点に仕掛けを投入地点へ衝撃なく誘導できる為、以下の事が実現できる。
▲１▼取れやすい餌又は、衝撃に弱い餌をつけた仕掛けでも遠くへ誘導できる。
▲２▼軽い仕掛けや、空気抵抗が大きい仕掛けであっても、遠くの地点まで仕掛けを誘導できる。
また、目的となる地点へは、重いおもりで投入するため、風が強い日でも軽い仕掛けや、空気抵抗が大きい仕掛を正確に目的地点へ誘導できる。
▲３▼従来、投入ができなかった長い延縄状の仕掛けであっても、目的地へ誘導する事ができる。
▲４▼仕掛けの誘導は、重いおもりの移動を伴わない為、軽い仕掛けを使った時に実現可能な仕掛けの自然な移動や誘いを実現できる。
【図面の簡単な説明】
【０００６】
【図１】  本発明の側面図である。
【図２】  リールを２つ装着時を示した断面図である。
【図３】  右巻きと左巻きのリールを２つ装着時を示した断面図である。
【図４】  補助装置でリールを２つ装着した場合を示した断面図である。
【図５】  縦にリールを２つ装着した場合を示した断面図である。
【図６】  リールを離して装着した場合を示した側面図である。
【図７】  中通し竿を利用した場合を示した側面図である。
【図８】  簡易型として竿先が１つの場合を示した側面図である。
【図９】  使用時のおもり投入直後の状態を示した側面図である。
【図１０】  使用時の連結金具（スナップ）回収時の状態を示した側面図である。
【図１１】  使用時の仕掛けを誘導する時の状態を示した側面図である。
【図１２】  ウキの仕掛けを装着した時を示した側面図である。
【図１３】  延縄のような長い仕掛け装着時を示した側面図である。
【発明を実施する為の形態】
【０００７】以下、本発明を実施する為の形態について説明する。
図１で示すように、釣竿本体（１）にリール１（２）、リール２（３）を２つ装着できるようにし、それぞれのリールから出る釣り糸（４）は各々の糸通しガイド（７）、竿先（８）を経由し、おもりの付いたリング（滑車）（１２）を経由して誘導式のおもりストッパー（１１）を通して、連結金具（スナップ）（９）で結合する。この時、リング（滑車）（１２）と釣り糸（４）は固定せず、釣り糸が滑らかにリング（滑車）内を通過できる。
仕掛け本体（１３）は、おもり（１４）を投入後、連結金具（スナップ）（９）の部分に、挿入可能である。
【０００８】釣竿には、図１のようにリールを装着するための仕組みを２箇所設ける。
装着場所は竿の形状や、リールのハンドルの位置や好みによりいくつか存在する。２つのリールの装着例を図２、図３、図４、図５に示す。
【０００９】図２、図３は、竿尻（１６）から同じ距離のところに、リールのハンドルがぶつからない程度の角度をつけて２つ装着する例。図３のようにリールのハンドルを左右逆巻きにセットする事で、その両リール間の角度を小さくする事ができ、竿のバランスがよくなる。
【００１０】図４は補助装置（１７）でリールを２つ装着した例。
【００１１】図５は、リールの上にリールを縦に装着した例。
【００１２】図６のように２つのリールを竿尻（１６）からの距離が異なる位置に離して装着することもできる。
【００１３】図７のように中通し方式の竿を使用する場合は、２つのリール間に角度をつける必要がなく、デザインもすっきりする事ができる。
【００１４】竿は、竿先を２つ有する孫竿（６）をもつ形式の方が送り出し、取り込みの操作性が向上するが、簡易型として、図８のように竿先が１つのものでも実現可能である。
【実施例】
【００１５】本発明を使用する時は、
投入時は、２つのリール１（２）、リール２（３）を投入状態（フリー）にして、仕掛け本体（１３）を装着しないおもり（１４）のみの状態で投入する。図９【００１６】投入後、主竿（５）のリール１（２）を投入状態（フリー）のままにして、孫竿（６）のリール２（３）を巻き取る事により、おもり（１４）を投入地点に残したまま、連結用金具（スナップ）（９）を手元に回収する。図１０【００１７】連結金具（スナップ）（９）をはずして、仕掛け本体（１３）を間等、連結金具（スナップ）（９）の部分に装着する。
装着後、孫竿（６）のリール２（３）を投入状態（フリー）にし、主竿（５）のリール１（２）を巻き取る事により、事前に投入されたおもり（１４）に連結されたリング（滑車）（１２）を支点に、装着した仕掛け本体（１３）を目的地となるおもり（１４）の方向へ送り出す事ができる。図１１【００１８】仕掛けを回収又は、手前へ移動する場合は、主竿（５）のリール１（２）を投入状態（フリー）にし、孫竿（６）のリール２（３）を巻き取る。【００１９】図１２のように、仕掛け本体としてウキ（１８）のような軽い仕掛けでも本来投入できない遠くへ誘導できる。【００２０】図１３は、仕掛け本体が延縄のように長い場合の使用例で、長い仕掛けであっても、おもり（１４）の方向へ誘導が可能である。
【符号の説明】
【００２１】    １    釣竿本体
２    リール１
３      リール２
４    釣り糸
５    主竿
６    孫竿
７    糸通しガイド
８    竿先
９    連結金具（スナップ）
１０  ヨリモドシ
１１  おもりストッパー
１２  リング（滑車）
１３  仕掛け本体
１４  おもり
１５  リール固定シート
１６  竿尻
１７  補助装置
１８  ウキ
【図１】
0005574127.tif 000002
【図２】
0005574127.tif 000003
【図３】
0005574127.tif 000004
【図４】
0005574127.tif 000005
【図５】
0005574127.tif 000006
【図６】
0005574127.tif 000007
【図７】
0005574127.tif 000008
【図８】
0005574127.tif 000009
【図９】
0005574127.tif 000010
【図１０】
0005574127.tif 000011
【図１１】
0005574127.tif 000012
【図１２】
0005574127.tif 000013
【図１３】
0005574127.tif 000014